(57)【特許請求の範囲】
【請求項１】
ノズルから液体を噴射可能な液体噴射ヘッドに対して前記ノズルを囲うように当接可能に構成されるとともに貫通孔を有する有底箱状のキャップ部材と、
前記貫通孔に挿嵌可能な軸部材と、
前記貫通孔の内周面及び前記軸部材の外周面のうち少なくとも一方に形成され、前記キャップ部材の内外を連通する連通路を構成する溝と
を備え、
前記軸部材は多角柱状をなすとともに、前記貫通孔は前記軸部材と対応する多角形状をなしていることを特徴とするキャップ装置。
【請求項２】
前記溝は、前記軸部材の外周面に形成されていることを特徴とする請求項１に記載のキャップ装置。
【請求項３】
前記連通路は、前記軸部材を貫通していることを特徴とする請求項２に記載のキャップ装置。
【請求項４】
前記軸部材は、前記ノズルから前記キャップ部材内に前記液体が滴下した場合に該液体が前記連通路に浸入することを抑制する液体浸入抑制部を備えていることを特徴とする請求項２または請求項３に記載のキャップ装置。
【請求項５】
前記軸部材の複数の側面のうち少なくとも２つに前記溝が形成されていることを特徴とする請求項１に記載のキャップ装置。
【請求項６】
前記貫通孔は前記キャップ部材の底壁に設けられ、前記キャップ部材の内底面上には凸部が前記貫通孔を囲むように設けられていることを特徴とする請求項１〜請求項５のうちいずれか一項に記載のキャップ装置。
【請求項７】
ノズルからターゲットに液体を噴射可能な液体噴射ヘッドと、
前記ノズルを囲うように前記液体噴射ヘッドのキャッピングを行うキャッピング手段と
を備え、
前記キャッピング手段を請求項１〜請求項６のうちいずれか一項に記載のキャップ装置によって構成したことを特徴とする液体噴射装置。
【発明の詳細な説明】
【技術分野】
【０００１】
本発明は、例えば、インクジェット式プリンターなどの液体噴射装置及びこれに備えられるキャップ装置に関する。
【背景技術】
【０００２】
一般に、液体噴射ヘッドのノズルからターゲットに対して液体を噴射する液体噴射装置としてインクジェット式プリンターが知られている。こうしたプリンターでは、印刷休止時や不使用時に記録ヘッド（液体噴射ヘッド）のノズル内のインク（液体）の乾燥を抑えるために、有底箱状のキャップを記録ヘッドに対してノズルを囲うように当接させる、いわゆるキャッピングを行うようにしている。
【０００３】
この場合、記録ヘッドのキャッピング中はキャップ内が保湿されるが、周囲の温度変化などによってキャップ内の圧力が変化した場合には、ノズル内のインクのメニスカスが破壊されてしまうことがある。このため、記録ヘッドのキャッピング中には、キャップ内を保湿しながら大気開放させておく必要がある。そして、従来、キャッピング中にキャップ内を保湿しながら大気開放させるプリンターとしては、特許文献１に示すものが知られている。
【０００４】
すなわち、この特許文献１に記載のプリンターでは、保護キャップ部（キャップ部材）に極細ステンレス製パイプ部材で構成された長い連通パイプが差し込まれた構成になっている。そして、細長い連通パイプを介して保護キャップ部内を大気開放することで、記録ヘッドのキャッピング中でも、保護キャップ部内の湿度低下が抑制されるようにしている。この場合、連通パイプの長さが長いほど保護キャップ部内の湿度低下の抑制効果は高くなる。
【先行技術文献】
【特許文献】
【０００５】
【特許文献１】特開２００２−３３１６７３号公報
【発明の概要】
【発明が解決しようとする課題】
【０００６】
ところで、特許文献１のプリンターは、長い連通パイプが保護キャップ部から下方に向かって真っ直ぐに長く延びる構成であるため、その長い連通パイプ分のスペースを確保しなければならず、大型化してしまうという問題がある。
【０００７】
本発明は、このような従来技術に存在する問題点に着目してなされたものである。その目的とするところは、大型化することなく、キャップ部材内を保湿しつつ大気開放することが可能なキャップ装置及び液体噴射装置を提供することにある。
【課題を解決するための手段】
【０００８】
上記目的を達成するために、本発明のキャップ装置は、ノズルから液体を噴射可能な液体噴射ヘッドに対して前記ノズルを囲うように当接可能に構成されるとともに貫通孔を有する有底箱状のキャップ部材と、前記貫通孔に挿嵌可能な軸部材と、前記貫通孔の内周面及び前記軸部材の外周面のうち少なくとも一方に形成され、前記キャップ部材の内外を連通する連通路を構成する溝とを備え、前記軸部材は多角柱状をなすとともに、前記貫通孔は前記軸部材と対応する多角形状をなしている。
【０００９】
この発明によれば、貫通孔の内周面及び軸部材の外周面のうち少なくとも一方に形成された溝がキャップ部材の内外を連通する連通路を構成するため、貫通孔の内周面及び軸部材の外周面のうち少なくとも一方の範囲内で該溝を長くすることで、キャップ部材や軸部材を大きくしなくても、連通路の距離を十分に確保することができる。したがって、大型化することなく、キャップ部材内を保湿しつつ大気開放することが可能となる。また、貫通孔に対する軸部材の軸線を中心とした回転方向の位置決めを行うことが可能となる。
【００１０】
本発明のキャップ装置において、前記溝は、前記軸部材の外周面に形成されている。
この発明によれば、連通路を容易に形成することが可能となる。
本発明のキャップ装置において、前記連通路は、前記軸部材を貫通している。
【００１１】
この発明によれば、連通路の距離を稼ぐことが可能となる。
本発明のキャップ装置において、前記軸部材は、前記ノズルから前記キャップ部材内に前記液体が滴下した場合に該液体が前記連通路に浸入することを抑制する液体浸入抑制部を備えている。
【００１２】
この発明によれば、キャップ部材内に滴下した液体が連通路に浸入することが液体浸入抑制部によって抑制されるので、液体によって連通路が目詰まりすることを抑制することが可能となる。
【００１４】
本発明のキャップ装置において、前記軸部材の複数の側面のうち少なくとも２つに前記溝が形成されている。
この発明によれば、連通路の距離を効果的に稼ぐことが可能となる。
【００１５】
本発明のキャップ装置において、前記貫通孔は前記キャップ部材の底壁に設けられ、前記キャップ部材の内底面上には凸部が前記貫通孔を囲むように設けられている。
この発明によれば、キャップ部材内に液体が滴下した場合に、凸部によって該液体がキャップ部材の内底面上を流れて貫通孔に達することを抑制することが可能となる。
【００１６】
本発明の液体噴射装置は、ノズルからターゲットに液体を噴射可能な液体噴射ヘッドと、前記ノズルを囲うように前記液体噴射ヘッドのキャッピングを行うキャッピング手段とを備え、前記キャッピング手段を上記構成のキャップ装置によって構成した。
【００１７】
この発明によれば、上記構成のキャップ装置と同様の作用効果を得ることが可能となる。
【図面の簡単な説明】
【００１８】
【図１】実施形態のインクジェット式プリンターの斜視図。
【図２】同プリンターの放置キャップ装置を示す断面図。
【図３】同放置キャップ装置のキャップ部材を示す斜視図。
【図４】同放置キャップ装置の斜視図。
【図５】同放置キャップ装置の軸部材を示す斜視図。
【図６】同放置キャップ装置の軸部材を示す斜視図。
【図７】同放置キャップ装置の軸部材を示す斜視図。
【図８】同放置キャップ装置の要部拡大断面図。
【図９】同放置キャップ装置の要部拡大断面図。
【発明を実施するための形態】
【００１９】
以下、本発明を液体噴射装置としてのインクジェット式プリンターに具体化した一実施形態について、図面に従って説明する。また、以下の説明において、「前後方向」、「左右方向」、「上下方向」をいう場合は図１に矢印で示す前後方向、左右方向、上下方向をそれぞれ示すものとする。
【００２０】
図１に示すように、インクジェット式プリンター１１の略矩形箱状をなすフレーム１２内の下部には、その長手方向である左右方向に沿ってプラテン１３が延設されている。プラテン１３上には、フレーム１２の背面下部に設けられた紙送りモーター１４の駆動に基づいて、図示しない紙送り機構によりターゲットとしての記録用紙Ｐが後方側から給送されるようになっている。
【００２１】
フレーム１２内におけるプラテン１３の上方には、該プラテン１３の長手方向に沿ってガイド軸１５が架設されている。ガイド軸１５には、該ガイド軸１５の軸線方向（左右方向）に沿って往復移動可能にキャリッジ１６が支持されている。また、フレーム１２の後壁内面におけるガイド軸１５の両端部と対応する位置には、駆動プーリー１７ａ及び従動プーリー１７ｂが回転自在に支持されている。
【００２２】
駆動プーリー１７ａにはキャリッジ１６を往復移動させる際の駆動源となるキャリッジモーター１８の出力軸が連結されるとともに、これら一対のプーリー１７ａ，１７ｂ間には一部がキャリッジ１６に連結された無端状のタイミングベルト１７が掛装されている。したがって、キャリッジ１６は、ガイド軸１５にガイドされながら、キャリッジモーター１８の駆動力によりタイミングベルト１７を介して左右方向に移動されるようになっている。
【００２３】
図１及び図２に示すように、キャリッジ１６の下端部には、液体噴射ヘッドとしての記録ヘッド１９が支持されている。記録ヘッド１９の下面には、複数のノズル２０が開口している。各ノズル２０は、前後方向に並ぶように配列されている。キャリッジ１６上には、記録ヘッド１９に対して液体としてのインクを供給するためのインクカートリッジ２１が着脱可能に装着されている。
【００２４】
そして、インクカートリッジ２１内のインクは、記録ヘッド１９に備えられた圧電素子（図示略）の駆動により、インクカートリッジ２１から記録ヘッド１９へと供給され、該記録ヘッド１９の各ノズル２０からプラテン１３上に給送された記録用紙Ｐに噴射されて印刷が行われるようになっている。
【００２５】
また、フレーム１２内の右端部に位置する記録用紙Ｐと対応しないホームポジション領域（非印刷領域）には、記録ヘッド１９のクリーニング、フラッシング、及び印刷休止時や不使用時における各ノズル２０内のインクの蒸発の抑制などのメンテナンスを行うためのメンテナンス装置２３が設けられている。
【００２６】
メンテナンス装置２３は、記録ヘッド１９のクリーニングやフラッシングに用いられる吸引キャップ装置２４と、該吸引キャップ装置２４の右側に配置されるとともに印刷休止時や不使用時における記録ヘッド１９の各ノズル２０内のインクの蒸発の抑制等に用いられるキャップ装置（キャッピング手段）としての放置キャップ装置２５とを備えている。
【００２７】
次に、放置キャップ装置２５の構成について詳述する。
図２〜図４に示すように、放置キャップ装置２５は、上端が開口した有底矩形箱状をなすキャップ部材２６と、該キャップ部材２６に装着される軸部材２７と、該キャップ部材２６を昇降可能な図示しない昇降装置とを備えている。そして、記録ヘッド１９がキャップ部材２６の真上に位置するようにキャリッジ１６をホームポジション領域に移動させた状態で、キャップ部材２６を昇降装置によって上昇させることで、該キャップ部材２６が記録ヘッド１９に対して各ノズル２０を囲うように当接（キャッピング）するようになっている。
【００２８】
キャップ部材２６は、前後方向に長い略矩形板状の硬質の合成樹脂よりなる底壁２８と、該底壁２８の上面における周縁部に沿って立設されたエラストマーよりなる略矩形枠状の周壁２９とを備えている。キャップ部材２６の内底面２８ａ（底壁２８の上面）上における前後方向の中央部には、平面視で前後方向に長い平面視矩形状をなす凹部３０が形成されている。左右方向において、凹部３０の幅はキャップ部材２６の内底面２８ａの幅よりも僅かに狭くなるように設定されている。
【００２９】
凹部３０の内底面３０ａにおける前後方向の中央部には底壁２８を貫通するように上下方向に延びる四角筒状の貫通部３１が設けられるとともに、該貫通部３１の内側は貫通孔３２とされている。したがって、貫通孔３２はキャップ部材２６の内外を連通している。貫通部３１の上端側は凹部３０の内底面３０ａよりも上側に突出しているとともに、貫通部３１の下端側は底壁２８の下面よりも下側に突出している。そして、貫通部３１における凹部３０の内底面３０ａよりも上側に突出した部分は凸部３１ａとされている。
【００３０】
したがって、凹部３０の内底面３０ａ（キャップ部材２６の内底面２８ａ）上には、四角枠状の凸部３１ａが平面視で四角形状をなす貫通孔３２を囲むように設けられていると言える。この場合、凸部３１ａは、その上端面が凹部３０の上端とほぼ同じ高さになるように設定されている。凸部３１ａの前後方向の両側壁の上面における左右方向の中央部には、前後方向から見て矩形状をなす切欠部３１ｂがそれぞれ設けられている。なお、キャップ部材２６の貫通孔３２には、軸部材２７が挿嵌されている。
【００３１】
図２及び図５に示すように、軸部材２７は、エラストマーによって構成されるとともに、貫通孔３２に挿嵌される四角柱状の挿嵌部３３と、該挿嵌部３３の上端に一体に形成された平面視略矩形板状をなす液体浸入抑制部としての笠部３４とを備えている。この場合、軸部材２７は、挿嵌部３３の上端が笠部３４の下面中央部に連結された態様になっているため、左右方向から見て略Ｔ字状をなしている。
【００３２】
挿嵌部３３の上端部における左側部には、切欠凹部３５が形成されている。挿嵌部３３の下端部におけるやや後寄りの位置には、該挿嵌部３３を左右方向に貫通する貫通路３６が形成されている。挿嵌部３３の左側面（外周面）には、貫通路３６から切欠凹部３５まで延びる溝としての第１溝３７が形成されている。すなわち、第１溝３７は、蛇行するように延びるとともに、貫通路３６と切欠凹部３５とを連通している。
【００３３】
第１溝３７の上端側の開口部３７ａは、上下方向において切欠凹部３５を挟んで笠部３４の下面と対向している。挿嵌部３３の前後両側面における左右方向の中央部を挟んだ左右両側に前後方向から見て矩形状をなす凹部３８が対をなすようにそれぞれ形成されている。この場合、各凹部３８は、挿嵌部３３の前後両側面における上端部、下端部、及び左右方向の中央部を除く領域に形成されている。
【００３４】
図６に示すように、挿嵌部３３の右側面（外周面）の下端部におけるやや後寄りの位置には、挿嵌部３３の左側面から延びる貫通路３６が開口している。挿嵌部３３の左側面には、溝としての第２溝３９が形成されている。すなわち、第２溝３９は、貫通路３６から上側に向かって真っ直ぐに延びてから前側にＵターンして下側に向かって蛇行しながら延びた後、真下に向かって真っ直ぐに延びて挿嵌部３３の下面まで達している。つまり、第２溝３９は、その一端側が貫通路３６に開口するとともに、他端側が挿嵌部３３の下面に開口している。
【００３５】
図２及び図７に示すように、笠部３４の下面における挿嵌部３３を挟んだ前後両側には、前後方向に延びる凸条４０が対をなすように突設されている。各凸条４０は、笠部３４の下面の左右方向におけるほぼ中央に位置している。各凸条４０は、軸部材２７の挿嵌部３３を貫通孔３２に挿嵌した際に、キャップ部材２６の凸部３１ａの各切欠部３１ｂに挿入されるようになっている。そして、各凸条４０は、笠部３４の下面からの突出長さが各切欠部３１ｂの深さよりも若干長くなるように設定されている。
【００３６】
図５及び図６に示すように、笠部３４の上面において、左側端縁部、右側端縁部における前後両端部には、他の部位よりも若干低くなるように段差部４１が形成されている。各段差部４１の前後方向における外側の端部は、それぞれ下側に向かって直角に屈曲してから前後方向における外側に向かって下降するように傾斜している。なお、笠部３４における各段差部４１以外の前後両端部は、下側に向かってほぼ直角に屈曲している。
【００３７】
図８及び図９に示すように、軸部材２７の挿嵌部３３を貫通孔３２に挿嵌して該軸部材２７をキャップ部材２６に装着した場合には、挿嵌部３３の外周面が貫通部３１の内周面３１ｃ（貫通孔３２の内周面）と密着するようになっている。このとき、貫通部３１の内周面３１ｃと第１溝３７とで囲まれた空間、貫通部３１の内周面３１ｃと第２溝３９とで囲まれた空間、及び貫通路３６により、キャップ部材２６の内外を連通する連通路が構成される。すなわち、この連通路により、キャップ部材２６内が大気開放される。
【００３８】
次に、軸部材２７をキャップ部材２６に装着する際の作用について説明する。
さて、軸部材２７をキャップ部材２６に装着するには、まず、軸部材２７の挿嵌部３３を貫通孔３２に挿嵌する。すると、キャップ部材２６の凸部３１ａの各切欠部３１ｂに軸部材２７の各凸条４０が挿入される。このとき、各凸条４０は、笠部３４の下面からの突出長さが各切欠部３１ｂの深さよりも若干長くなるように設定されているため、各切欠部３１ｂの底面に当接しても該各切欠部３１ｂから少しはみ出した状態になる。
【００３９】
このため、各凸条４０により、軸部材２７の挿嵌部３３が貫通孔３２に過剰に挿入されることがなくなるので、軸部材２７の笠部３４の下面とキャップ部材２６の凸部３１ａの上面とが接触することがなくなる。この結果、軸部材２７の笠部３４によって、第１溝３７の上端側の開口部３７ａが塞がれることが回避されるので、連通路を介したキャップ部材２６内の大気開放状態が維持される。
【００４０】
このように、キャップ部材２６の各切欠部３１ｂに軸部材２７の各凸条４０がそれぞれ挿入されることで、キャップ部材２６に対する軸部材２７の上下方向及び左右方向における位置決めがなされる。さらに、キャップ部材２６の貫通孔３２が平面視で四角形状をなすとともに軸部材２７の挿嵌部３３が四角柱状をなしているため、挿嵌部３３を貫通孔３２に挿嵌することで、キャップ部材２６に対する軸部材２７の軸線を中心とした回転方向の位置決めもなされる。
【００４１】
また、軸部材２７の挿嵌部３３の前後両側面には凹部３８がそれぞれ形成されているため、該前後両側面においては上端部、下端部、及び左右方向の中央部が突出した状態になっている。すなわち、挿嵌部３３の前後両側面ではこれら上端部、下端部、及び左右方向の中央部の各部位が相対的に突出状態にある。加えて、軸部材２７はエラストマーによって構成されているため、挿嵌部３３は可撓性を有している。
【００４２】
したがって、挿嵌部３３が貫通孔３２に挿嵌された状態では、挿嵌部３３の前後両側面における突出状態にある各部位が貫通部３１の内周面３１ｃ（貫通孔３２の内周面）に対して確実に密着するため、挿嵌部３３の前後両側面と貫通部３１の内周面３１ｃとのシール状態が安定する。
【００４３】
次に、インクジェット式プリンター１１の印刷休止時及び不使用時の作用について説明する。
さて、インクジェット式プリンター１１の印刷休止時や不使用時には、記録ヘッド１９の各ノズル２０内のインクの水分（溶媒成分）の蒸発を抑制するため、キャリッジ１６をホームポジション領域に移動させた後、記録ヘッド１９に対して各ノズル２０を囲うように放置キャップ装置２５を当接させた状態（キャッピング状態）に維持される。
【００４４】
このとき、キャップ部材２６内が完全に密閉されていると、各ノズル２０内のインク中の水分蒸発の抑制効果（保湿効果）は高まるが、周囲の温度などの環境変化に伴ってキャップ部材２６内の圧力が変動した場合に、各ノズル２０内のインクのメニスカスが破壊されてしまうことがある。
【００４５】
この点、本実施形態では、キャップ部材２６に軸部材２７を装着することで、該キャップ部材２６の内外を連通する連通路が得られるため、該連通路を介してキャップ部材２６内が大気開放される。このため、周囲の温度などの環境が変化してもキャップ部材２６内の圧力変動が抑制されるので、各ノズル２０内のインクのメニスカスが破壊されることが抑制される。
【００４６】
この場合、連通路を構成する第１溝３７及び第２溝３９は、挿嵌部３３の４つの側面（外周面）のうち左右の２つの側面にそれぞれ形成されている。すなわち、連通路は、貫通部３１の内周面３１ｃと第１溝３７とで囲まれた空間、貫通部３１の内周面３１ｃと第２溝３９とで囲まれた空間、及び貫通路３６によって構成されているため、キャップ部材２６の範囲内に収まっている。加えて、連通路は、第１溝３７に沿って延びてから挿嵌部３３を貫通した後に第２溝３９に沿って延びている。したがって、放置キャップ装置２５では、連通路がコンパクトでありながら、該連通路の距離も十分に確保されてキャップ部材２６内の保湿効果も得られる。
【００４７】
この結果、放置キャップ装置２５は、大型化することなく、キャップ部材２６内を保湿しつつ大気開放することができる。すなわち、放置キャップ装置２５は、インクジェット式プリンター１１の印刷休止時や不使用時に記録ヘッド１９のキャッピングを行うことで、各ノズル２０内のインク中の水分の蒸発を抑制しつつ、キャップ部材２６内の圧力変動を抑えて各ノズル２０内のインクのメニスカスが破壊されることを抑制することができる。
【００４８】
また、放置キャップ装置２５による記録ヘッド１９のキャッピング中に、インクジェット式プリンター１１が揺らされたり衝撃を受けたりすると、各ノズル２０内からインクがキャップ部材２６内に滴下する場合がある。しかしながら、このような場合でも、放置キャップ装置２５では、第１溝３７の開口部３７ａが笠部３４の下側に位置しているため、各ノズル２０内から滴下したインクが該開口部３７ａから連通路内に浸入することが該笠部３４によって抑制される。
【００４９】
このとき、各ノズル２０内から笠部３４の上面に滴下したインクが左右方向に流れた場合、該インクは各段差部４１によって受け止められて前後方向に導かれる。このため、各ノズル２０内から笠部３４の上面に滴下したインクが左右方向から笠部３４の下面を伝って挿嵌部３３まで達することが抑制される。したがって、連通路がインクで目詰まりすることが抑制されるので、該連通孔を介したキャップ部材２６内の大気連通状態が維持される。
【００５０】
またさらに、放置キャップ装置２５による記録ヘッド１９のキャッピング中に、キャップ部材２６内にインクが少し多めに滴下された場合には、該インクがキャップ部材２６の内底面２８ａ、すなわち凹部３０の内底面３０ａに溜まる場合がある。しかしながら、このような場合でも、放置キャップ装置２５では、凹部３０の内底面３０ａ上に凸部３１ａが貫通孔３２を囲むように設けられているため、凹部３０の内底面３０ａに溜まったインクが流れて貫通孔３２が該インクに晒されたり該インクが第１溝３７の開口部３７ａから連通路内に浸入したりすることが該凸部３１ａによって抑制される。このため、連通路がインクで目詰まりすることが抑制されるので、該連通孔を介したキャップ部材２６内の大気連通状態が維持される。
【００５１】
以上、詳述した実施形態によれば以下の効果を得ることができる。
（１）放置キャップ装置２５において、キャップ部材２６の内外を連通する連通路は、貫通部３１の内周面３１ｃと第１溝３７とで囲まれた空間、貫通部３１の内周面３１ｃと第２溝３９とで囲まれた空間、及び貫通路３６によって構成されている。このため、キャップ部材２６の範囲内で連通路の距離を十分に確保することができる。したがって、放置キャップ装置２５を大型化することなく、キャップ部材２６内を保湿しつつ大気開放することができる。
【００５２】
（２）放置キャップ装置２５において、キャップ部材２６の内外を連通する連通路を構成する第１溝３７及び第２溝３９は軸部材２７の挿嵌部３３の左右両側面に形成されるため、該連通路を容易に形成することができるとともに該連通路の距離を効果的に稼ぐことができる。
【００５３】
（３）放置キャップ装置２５において、キャップ部材２６の内外を連通する連通路は、第１溝３７と第２溝３９とが軸部材２７の挿嵌部３３を貫通する貫通路３６を介して連通した構成になっているため、該連通路の距離を容易に稼ぐことができる。
【００５４】
（４）放置キャップ装置２５において、軸部材２７は第１溝３７の開口部３７ａをその上側で覆う笠部３４を備えているため、各ノズル２０からキャップ部材２６内にインクが滴下した場合に、該笠部３４によって該滴下したインクが第１溝３７の開口部３７ａから連通路に浸入することを抑制することができる。この結果、インクによって連通路が目詰まりすることを抑制することができるので、キャップ部材２６内を大気連通状態に維持することができる。
【００５５】
（５）放置キャップ装置２５において、軸部材２７の挿嵌部３３は四角柱状をなすとともに、貫通孔３２は平面視で該挿嵌部３３と対応する四角形状をなしている。このため、軸部材２７の挿嵌部３３を貫通孔３２に挿嵌した際に、貫通孔３２に対する軸部材２７の軸線を中心とした回転方向の位置決めを行うことができる。
【００５６】
（６）放置キャップ装置２５において、軸部材２７はエラストマーによって構成されているため、軸部材２７の挿嵌部３３を貫通孔３２に挿嵌した際に、挿嵌部３３の外周面と貫通部３１の内周面３１ｃ（貫通孔３２の内周面）との密着性を高めることができる。この結果、連通路における両端の開口部以外の密閉性を高めることができる。
【００５７】
（７）放置キャップ装置２５において、キャップ部材２６の凹部３０の内底面３０ａ上には、凸部３１ａが貫通孔３２を囲むように設けられている。このため、各ノズル２０からキャップ部材２６内にインクが多めに滴下して凹部３０の内底面３０ａに溜まった場合に、該インクが内底面３０ａ上を流れて貫通孔３２に達することを凸部３１ａによって抑制することができる。したがって、貫通孔３２がインクに晒されたりインクが第１溝３７の開口部３７ａから連通路内に浸入したりすることを抑制することができる。この結果、連通路がインクで目詰まりすることを抑制できるので、該連通孔を介したキャップ部材２６内の大気連通状態を維持することができる。
（変更例）
なお、上記実施形態は以下のような別の実施形態に変更してもよい。
【００５８】
・放置キャップ装置２５において、軸部材２７の各凸条４０及びキャップ部材２６の切欠部３１ｂのうち少なくとも一方を省略してもよい。この場合、キャップ部材２６に軸部材２７を装着した際に、軸部材２７の笠部３４によって、第１溝３７の上端側の開口部３７ａが塞がれないようにする必要がある。
【００５９】
・キャップ部材２６の凸部３１ａは省略してもよい。
・軸部材２７は必ずしもエラストマーで構成する必要はなく、例えば硬質の合成樹脂や金属で構成してもよい。
【００６０】
・軸部材２７の挿嵌部３３を円柱状や楕円柱状にしてもよい。この場合、挿嵌部３３の外周面には連通路を構成する溝を螺旋状に形成することが好ましい。さらにこの場合、貫通孔３２の形状も挿嵌部３３の形状に対応させる必要がある。
【００６１】
・軸部材２７の挿嵌部３３を四角柱状以外の多角柱状（例えば、三角柱状や六角柱状など）にしてもよい。この場合、貫通孔３２の形状も挿嵌部３３の形状に対応させる必要がある。さらにこの場合、挿嵌部３３の複数の側面のうち少なくとも１つに連通路を構成する溝を形成してもよい。
【００６２】
・軸部材２７において、笠部３４を省略してもよい。
・軸部材２７において、貫通路３６を省略してもよい。この場合、第１溝３７の下端側の開口部が大気開放されるとともに、第２溝３９が省略される。
【００６３】
・キャップ部材２６の貫通部３１の内周面３１ｃ（貫通孔３２の内周面）に連通路を構成する溝を形成するようにしてもよい。この場合、軸部材２７の挿嵌部３３の外周面に形成された第１溝３７及び第２溝３９は省略してもよいし省略しなくてもよい。
【００６４】
・キャップ部材２６の周壁２９に貫通孔３２を形成するようにしてもよい。この場合、周壁２９における貫通孔３２を形成する部分は硬質の合成樹脂で構成することが好ましい。この場合、軸部材２７から笠部３４が省略されるとともに、周壁２９の内周面における貫通孔３２の直ぐ上側に板状の屋根が液体浸入抑制部として突設される。
【００６５】
・インクジェット式プリンター１１において、ターゲットは、プラスチックフィルム、布、金属箔などであってもよい。
・上記実施形態では、液体噴射装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００６６】
１１…液体噴射装置としてのインクジェット式プリンター、１９…液体噴射ヘッドとしての記録ヘッド、２０…ノズル、２５…キャップ装置（キャッピング手段）としての放置キャップ装置、２６…キャップ部材、２７…軸部材、２８…底壁、３１ａ…凸部、３１ｃ…連通路を構成する貫通部３１の内周面（貫通孔３２の内周面）、３２…貫通孔、３６…連通路を構成する貫通路、３７…連通路を構成する溝としての第１溝、３９…連通路を構成する溝としての第２溝、３４…液体浸入抑制部としての笠部、Ｐ…ターゲットとしての記録用紙。
【図１】
0005644458.tif 000002
【図２】
0005644458.tif 000003
【図３】
0005644458.tif 000004
【図４】
0005644458.tif 000005
【図５】
0005644458.tif 000006
【図６】
0005644458.tif 000007
【図７】
0005644458.tif 000008
【図８】
0005644458.tif 000009
【図９】
0005644458.tif 000010